(57)【要約】      （修正有）【課題】多数個のぬいぐるみを背負うことができるペット用ハーネスを提供する。【解決手段】多数個のぬいぐるみを背負うことができるハーネスであって、それは概して左右対称の形態に現れてペットの背中を覆うことに用いられ、その表面中央個所には他のユニットを連結するための第一上結合部１０が設けられ、その表面の下側個所には他のユニットの連結に用いられる別のバンド結合部９０を備える第一ハーネス１を含む。第一ハーネス後端の両側方向にはそれぞれ後端連結部１２を備え、前端の両側方向にはそれぞれ対称して背バンド２の一端に連接し、背バンドの他の一端には前端連結部１３が設けられ、かつ前端連結部と後端連結部は互いに結合する。本考案は更に第二ハーネスを備え、第二ハーネスは第一ハーネスと互いに結合してやや面積の大きいハーネスに形成される。【選択図】図１Ａ
0003146658.tif 000002
【実用新案登録請求の範囲】
【請求項１】
多数個のぬいぐるみを背負うことができるハーネスであって、
左右対称の形態に現れてペットの背中を覆うことに用いられ、表面の中央個所には、他のユニットを連結するための第一上結合部が設けられ、表面の下側個所には、他のユニットの連結に用いられる別のバンド結合部を備える第一ハーネスを含み、
第一ハーネス後端の両側方向にはそれぞれ後端連結部を備え、前端の両側方向にはそれぞれ対称して背バンドの一端に連接し、背バンドの他の一端には前端連結部が設けられ、かつ前端連結部と後端連結部は互いに結合され、
第一ハーネスをペットの背中に覆い被せ、背バンドの前端連結部と後端連結部を互いに結合することにより、ペットの背中で快適に、かつ脱落しないように装着され、
第一下結合部と第一上結合部の互いの結合方式は縫いつけ、面ファスナー粘着、ボタン止め、押しボタンのうち何れかの方式を用いて結合固定されることを特徴とする、
多数個のぬいぐるみを背負うことができるハーネス。
【請求項２】
前記第一ハーネスの表面には止め環が設けられ、その止め環は中空の止め環でペットのリードの取り付けに用いられ、かつハーネスにはその長さを調整するための調整環が設けられてあることを特徴とする、請求項１記載の多数個のぬいぐるみを背負うことができるハーネス。
【請求項３】
前記第一ハーネスの後端連結部と前端連結部の互いの結合方式は、嵌め環嵌め付け、面ファスナー粘着、止めボタン、押しボタンのうち何れかの方式を用いて結合固定されることを特徴とする、請求項１に記載の多数個のぬいぐるみを背負うことができるハーネス。
【請求項４】
前記第一ハーネスの後端連結部は雌止めまたは雄止めの一つであり、前記第一ハーネスの前端連結部は後端連結部に対応する止め具であることを特徴とする、請求項１に記載の多数個のぬいぐるみを背負うことができるハーネス。
【請求項５】
前記ハーネスには更に首輪が含まれ、首輪連結部は雄止めまたは雌止めの一つであり、首輪結合部は首輪連結部に対応する止め具であり、かつ首輪にはその長さを調整するための調整環が設けられ、首輪連結部と首輪結合部の互いの結合方式は、嵌め環嵌め付け、面ファスナー粘着、止めボタン、押しボタンのうち何れかの方式を用いて結合固定されることを特徴とする、請求項１に記載の多数個のぬいぐるみを背負うことができるハーネス。
【請求項６】
前記ハーネスには更に腹部バンドが含まれ、腹部バンドの一端は前記第一ハーネスの下側個所の一側に固定され、前記第一ハーネスと対称する位置には腹部バンド結合部が設けられ、腹部バンドの別の一端には腹部バンド結合部との連結に用いられる腹部バンド連結部が設けられ、腹部バンドにはその長さを調整するための調整環が設けられ、腹部バンド連結部と腹部バンド結合部は嵌め付け方式を用いて固定し、かつ腹部バンド連結部と腹部バンド結合部の互いの結合方式は、嵌め環嵌め付け、面ファスナー粘着、止めボタン、押しボタンのいずれの方式を用いて結合固定されることを特徴とする、請求項１に記載の多数個のぬいぐるみを背負うことができるハーネス。
【請求項７】
前記ハーネスは更に第一ぬいぐるみを含み、第一ぬいぐるみの底部には第一下結合部が設けられ、第一下結合部と前記第一上結合部が互いに結合固定されると、第一ぬいぐるみは第一ハーネスに設置されて脱落しないようになることを特徴とする、請求項１に記載の多数個のぬいぐるみを背負うことができるハーネス。
【請求項８】
前記ハーネスは更に第二ハーネスを含み、第二ハーネスは概して左右対称の形態に現れ、第二ハーネスの表面中央個所には他のユニットとの連結に用いられる第二上結合部が設けられ、かつ第二ハーネスの上側個所の内面には他にバンド連結部が設けられ、それがバンド結合部と互いに結合されるとハーネスの長さが長くなってやや大面積のハーネスに形成し、かつバンド連結部とバンド結合部の結合方式は面ファスナー粘着、止めボタン、押しボタンのうち何れかの方式を用いて結合されることを特徴とする、請求項１に記載の多数個のぬいぐるみを背負うことができるハーネス。
【請求項９】
前記ハーネスには更に後腹部バンドが含まれ、後腹部バンドの一端は前記第二ハーネスの下側個所の一側に固定され、かつ前記第二ハーネスと対称する位置には後腹部バンド連結部が設けられ、後腹部バンドの別の一端には後腹部バンド連結部との連結に用いられる腹部バンド結合部が設けられ、後腹部バンドにはその長さを調整するための調整環が設けられ、後腹部バンド連結部と後腹部バンド結合部の互いの結合方式は、嵌め環嵌め付け、面ファスナー粘着、止めボタン、押しボタンのうち何れかの方式を用いて結合固定されることを特徴とする、請求項８に記載の多数個のぬいぐるみを背負うことができるハーネス。
【請求項１０】
前記ハーネスは更に第二ぬいぐるみを含み、第二ぬいぐるみの底部には第二下結合部が設けられ、第二下結合部と前記第二上結合部が互いに結合固定されると、第二ぬいぐるみは第二ハーネスに設置されて脱落しないようになり、かつ第二下結合部と前記第二上結合部互いの結合方式は縫いつけ、面ファスナー粘着、止めボタン、押しボタンのうち何れかの方式を用いて結合固定されることを特徴とする、請求項９に記載の多数個のぬいぐるみを背負うことができるハーネス。
【考案の詳細な説明】
【技術分野】
【０００１】
本考案はハーネスに関し、特に、多数個のぬいぐるみを背負うことができるハーネスに関するものである。それは第一ハーネスをペットの背中に覆い被せ、第一ハーネスには第一ぬいぐるみが設けられ、飼い主がペットを連れ出す場合はリードを取り付けるだけで外出することができ、ペットの体型が大きい場合は別の第二ハーネスと互いに結合し、面積のやや大きいハーネスに形成される。
【背景技術】
【０００２】
従来技術の中華民国特許公示番号Ｍ２９７６２４号はペットの背負い袋の構造であって、袋と二本のバンドから構成される。その特徴は、袋の両側にそれぞれジャックが設けられて前袋と後袋に区分けされ、かつ前袋の四つの角にそれぞれ孔が設けられ、袋の底部に取り付け孔が設けられ、二本のバンドは袋の裏面に設置される。使用時は先ず袋両側のジャックを引き開け、大きさの妥当なペットを袋に入れ、かつペットの頭部は袋口に向け、四本の足と尻尾はそれぞれ孔と取り付け孔の外側に貫き出し、それからジャックを引き閉めれば便利にペットを連れ出すことができる。
【０００３】
現在の社会において、ペットを飼う人は非常に多いが、ペット用品は飼い主を満足することができなく、上記従来の技術からわかるように、その多くはペットを連れ出すための袋または紐で設計を行っているが、美観と創意に乏しく、もし美観と創意を備える設計を提出すれば、必ず多くの飼い主の好みに迎合することができる。
【考案の開示】
【考案が解決しようとする課題】
【０００４】
本考案の目的は上記従来技術の問題を解決するためで、本考案は多数個のぬいぐるみを背負うことができるハーネスを提出し、それは第一ハーネスをペットの背中に覆い被せ、第一ハーネスには第一ぬいぐるみが設けられ、飼い主がペットを連れ出す場合はリードを取り付けて一緒に外出することができ、このような新鮮な設計は多くの人々の目線をペットに集中させ、飼い主のペットを飼う楽しみを高めることができる。
【０００５】
すなわち、本願の第１考案は、多数個のぬいぐるみを背負うことができるハーネスであって、左右対称の形態に現れてペットの背中を覆うことに用いられ、表面の中央個所には、他のユニットを連結するための第一上結合部が設けられ、表面の下側個所には、他のユニットの連結に用いられる別のバンド結合部を備える第一ハーネスを含み、第一ハーネス後端の両側方向にはそれぞれ後端連結部を備え、前端の両側方向にはそれぞれ対称して背バンドの一端に連接し、背バンドの他の一端には前端連結部が設けられ、かつ前端連結部と後端連結部は互いに結合され、第一ハーネスをペットの背中に覆い被せ、背バンドの前端連結部と後端連結部を互いに結合することにより、ペットの背中で快適に、かつ脱落しないように装着され、第一下結合部と第一上結合部の互いの結合方式は縫いつけ、面ファスナー粘着、ボタン止め、押しボタンのうち何れかの方式を用いて結合固定されることを特徴とする、多数個のぬいぐるみを背負うことができるハーネスを提供することを要旨とする。
【０００６】
また、本願の第２考案は、前記第一ハーネスの表面には止め環が設けられ、その止め環は中空の止め環でペットのリードの取り付けに用いられ、かつハーネスにはその長さを調整するための調整環が設けられてあることを特徴とする、第１考案に記載の多数個のぬいぐるみを背負うことができるハーネスを提供することを要旨とする。
【０００７】
また、本願の第３考案は、前記第一ハーネスの後端連結部と前端連結部の互いの結合方式は、嵌め環嵌め付け、面ファスナー粘着、止めボタン、押しボタンのうち何れかの方式を用いて結合固定されることを特徴とする、第１考案に記載の多数個のぬいぐるみを背負うことができるハーネスを提供することを要旨とする。
【０００８】
また、本願の第４考案は、前記第一ハーネスの後端連結部は雌止めまたは雄止めの一つであり、前記第一ハーネスの前端連結部は後端連結部に対応する止め具であることを特徴とする、第１考案に記載の多数個のぬいぐるみを背負うことができるハーネスを提供することを要旨とする。
【０００９】
また、本願の第５考案は、前記ハーネスには更に首輪が含まれ、首輪連結部は雄止めまたは雌止めの一つであり、首輪結合部は首輪連結部に対応する止め具であり、かつ首輪にはその長さを調整するための調整環が設けられ、首輪連結部と首輪結合部の互いの結合方式は、嵌め環嵌め付け、面ファスナー粘着、止めボタン、押しボタンのうち何れかの方式を用いて結合固定されることを特徴とする、第１考案に記載の多数個のぬいぐるみを背負うことができるハーネスを提供することを要旨とする。
【００１０】
また、本願の第６考案は、前記ハーネスには更に腹部バンドが含まれ、腹部バンドの一端は前記第一ハーネスの下側個所の一側に固定され、前記第一ハーネスと対称する位置には腹部バンド結合部が設けられ、腹部バンドの別の一端には腹部バンド結合部との連結に用いられる腹部バンド連結部が設けられ、腹部バンドにはその長さを調整するための調整環が設けられ、腹部バンド連結部と腹部バンド結合部は嵌め付け方式を用いて固定し、かつ腹部バンド連結部と腹部バンド結合部の互いの結合方式は、嵌め環嵌め付け、面ファスナー粘着、止めボタン、押しボタンのいずれの方式を用いて結合固定されることを特徴とする、第１考案に記載の多数個のぬいぐるみを背負うことができるハーネスを提供することを要旨とする。
【００１１】
また、本願の第７考案は、前記ハーネスは更に第一ぬいぐるみを含み、第一ぬいぐるみの底部には第一下結合部が設けられ、第一下結合部と前記第一上結合部が互いに結合固定されると、第一ぬいぐるみは第一ハーネスに設置されて脱落しないようになることを特徴とする、第１考案に記載の多数個のぬいぐるみを背負うことができるハーネスを提供することを要旨とする。
【００１２】
また、本願の第８考案は、前記ハーネスは更に第二ハーネスを含み、第二ハーネスは概して左右対称の形態に現れ、第二ハーネスの表面中央個所には他のユニットとの連結に用いられる第二上結合部が設けられ、かつ第二ハーネスの上側個所の内面には他にバンド連結部が設けられ、それがバンド結合部と互いに結合されるとハーネスの長さが長くなってやや大面積のハーネスに形成し、かつバンド連結部とバンド結合部の結合方式は面ファスナー粘着、止めボタン、押しボタンのうち何れかの方式を用いて結合されることを特徴とする、第１考案に記載の多数個のぬいぐるみを背負うことができるハーネスを提供することを要旨とする。
【００１３】
また、本願の第９考案は、前記ハーネスには更に後腹部バンドが含まれ、後腹部バンドの一端は前記第二ハーネスの下側個所の一側に固定され、かつ前記第二ハーネスと対称する位置には後腹部バンド連結部が設けられ、後腹部バンドの別の一端には後腹部バンド連結部との連結に用いられる腹部バンド結合部が設けられ、後腹部バンドにはその長さを調整するための調整環が設けられ、後腹部バンド連結部と後腹部バンド結合部の互いの結合方式は、嵌め環嵌め付け、面ファスナー粘着、止めボタン、押しボタンのうち何れかの方式を用いて結合固定されることを特徴とする、第８考案に記載の多数個のぬいぐるみを背負うことができるハーネスを提供することを要旨とする。
【００１４】
また、本願の第１０考案は、前記ハーネスは更に第二ぬいぐるみを含み、第二ぬいぐるみの底部には第二下結合部が設けられ、第二下結合部と前記第二上結合部が互いに結合固定されると、第二ぬいぐるみは第二ハーネスに設置されて脱落しないようになり、かつ第二下結合部と前記第二上結合部互いの結合方式は縫いつけ、面ファスナー粘着、止めボタン、押しボタンのうち何れかの方式を用いて結合固定されることを特徴とする、第９考案に記載の多数個のぬいぐるみを背負うことができるハーネスを提供することを要旨とする。
【考案を実施するための最良の形態】
【００１５】
ここに本案の構造構成及び生じる効果と長所について、本案の最適実施例を取り上げ、図面と併せて以下のように詳細に説明する。
【実施例】
【００１６】
図１から図１０Ｃは本考案多数個のぬいぐるみを背負うことができるハーネスを表し、それは次のものを含む。
第一ハーネス１：それは概して左右対称の形態に現れてペットの背中を覆うことに用いられ、第一ハーネス１の表面中央個所には他のユニットとの連結に用いるための第一上結合部１０が設けられ、表面の下側個所には他のユニットの連結に用いられるバンド結合部９０が設けられ、かつ第一ハーネス１の表面にはリードの取り付けに用いられる中空の止め環１１が設けられてある（図１Ａを参照）。
【００１７】
第一ハーネス１の後端の両側方向にそれぞれ後端連結部１２を備え、前端の両側方向にはそれぞれ対称して背バンド２の一端に連接し、背バンド２のほかの一端には同側方向の後端連結部１２との連結固定に用いられる前端連結部１３が設けられ、背バンド２をペットの前足内側に回した後、前端連結部１３と後端連結部１２を互いに結合し、それによって第一ハーネス１はペットの背中で固定される。各背バンド２には背バンド２の長さを調整するための調整環２０１が設けられる。
【００１８】
前記後端連結部１２は雌止めで、前端連結部１３は雄止めであり、それらは嵌め付け方式を用いて固定される。
【００１９】
第一ぬいぐるみ３：その底部には第一下結合部３０が設けられ、第一下結合部３０と前記第一上結合部１０が互いに結合固定されると、第一ぬいぐるみ３は第一ハーネス１に設置されて脱落しないようになる（図１Ｂを参照）。
【００２０】
前記第一下結合部３０と前記第一上結合部１０の結合方式は面ファスナー（例えば、マジックテープ（登録商標））粘着方式を用い、前記第一上結合部１０と第一下結合部３０を重ねて粘着固定する（図２Ａ及び図２Ｂを参照）。
【００２１】
首輪４：その一端は第一ハーネス１上側個所の一側に連結され、かつ第一ハーネス１と互いに対称する位置に首輪連結部４２が設けられてある。首輪４の別の一端には首輪連結部４２との連結に用いられる首輪結合部４４が設けられ、首輪にはその長さを調整するための調整環４０１が設けられてある。
【００２２】
前記首輪連結部４２は雄止めで、首輪結合部４４は雌止めであり、かつ嵌め環嵌め付け方式を用いて固定される。
【００２３】
腹部バンド５：その一端は前記第一ハーネス１下側個所の一側に固定され、前記第一ハーネス１と対称する位置には腹部バンド結合部５１が設けられ、腹部バンド５の別の一端には腹部バンド結合部５１との連結に用いられる腹部バンド連結部５２が設けられ、腹部バンド５にはその長さを調整するための調整環５０１が設けられてある。
【００２４】
前記腹部バンド連結部５２は雄止めで、腹部バンド結合部５１は雌止めであり、嵌め環嵌め付け方式を用いて固定される。
【００２５】
第二ハーネス１０１：それは概して左右対称の形態に現れ、第二ハーネス１０１の表面中央個所には他のユニットとの連結に用いられる第二上結合部１０２が設けられ、かつ第二ハーネス１０１の上側個所の内面には他にバンド結合部９０との連結に用いられるバンド連結部９０１が設けられ、それらが連結されるとハーネスの長さが長くなる（図３Ａを参照）。
【００２６】
後腹部バンド６：その一端は前記第二ハーネス１０１の下側個所の一側に連結され、かつ前記第二ハーネス１０１と互いに対称する位置には後腹部バンド連結部６２が設けられ、後腹部バンド６の別の一端には後腹部バンド連結部６２との連結に用いられる腹部バンド結合部６４が設けられ、後腹部バンド６にはその長さを調整するための調整環６０１が設けられてある。
【００２７】
前記後腹部バンド連結部６２は雄止めであり、後腹部バンド結合部６４は雌止めであり、かつ嵌め環嵌め付け方式を用いて固定される。
【００２８】
第二ぬいぐるみ３００：その底部には第二下結合部３０１が設けられ、第二下結合部３０１と前記第二上結合部１０２が互いに結合固定されると、第二ぬいぐるみ３０は第二ハーネス１０１に設置されて脱落しないようになる（図３Ｂを参照）。
【００２９】
前記第二下結合部１０２と第二上結合部３０１の結合方式は面ファスナー粘着方式を用い、第二上結合部３０１と第二下結合部１０２を重ね合わして粘着固定する（図３Ｃ及び図３Ｄを参照）。
【００３０】
図４Ａ及び図４Ｂに示すように、前記バンド連結部９０１と前記バンド結合部９０の連結方式は面ファスナー粘着方式を用いて結合固定される。
【００３１】
図５Ａ及び図５Ｂに示すように、本考案の第一ハーネスと第二ハーネスは取り外し可能なハーネスの形態であり、それは主として体型のやや大きなペットに付けさすもので、前記バンド結合部とバンド連結部を互いに結合固定するだけで、前記ハーネスの長さを長くし、ペットの背中に完全に覆い被すことができる。
【００３２】
図５Ａに示すように、前記第一ハーネスをペットの背中に覆い被せ、両側の背バンドをペットの前足内側を回して第一ハーネスに嵌め付け、それから腹部バンドの長さをペットの体型に適するよう調整し、再び第一ハーネスに嵌め付け、最後は第二ハーネスの後腹部バンドを第二ハーネスに嵌め付ければよい。こうすれば、ハーネスはペットの背中でより快適になり、かつ脱落しなく、更に、前記第一ハーネス及び前記第二ハーネスにはそれぞれ一つのぬいぐるみが取り付けられ、かつともに取り外し可能の形態であり、そのぬいぐるみは図面で説明された様式に限らず、様式の違ったぬいぐるみに入れ替えて随意に変わることができ、飼い主がペットを連れ出す場合は、リードを第一ハーネスの嵌め環に取り付けばよい。
【００３３】
この他、ペットの体型が小さい場合は第一ハーネスと第二ハーネスを外し、ペットに第一ハーネスだけを取り付けば同じくペットの背中に固定することができ、かつ同じく第一ハーネスにぬいぐるみを取り付けることができる（図５Ｂを参照）。
【００３４】
本考案の前記第一ぬいぐるみと前記第一ハーネスの結合方式、及び前記第二ぬいぐるみと前記第二ハーネスの結合方式は上記説明例に限らず、その結合方式は止めボタン、押しボタン等を応用することができる。これらの例はすべて本考案の範囲内に属する。
【００３５】
図６Ａから図７Ｂに示すように、本考案の前記第一ハーネスと前記第二ハーネスの結合方式は上記説明例に限らず、その結合方式は止めボタン、押しボタン等を応用することができる。これらの例はすべて本考案の範囲内に属する。
【００３６】
図８Ａから図１０Ｃに示すように、本考案の各ユニット間の結合方式は上記説明の例に限らず、その結合方式は面ファスナー粘着、止めボタン、押しボタン等を応用することができる。これらの例はすべて本考案の範囲内に属する。
【図面の簡単な説明】
【００３７】
【図１Ａ】本考案の第一ハーネス及び背バンドの意表図である。
【図１Ｂ】本考案の第一ハーネスと第一ぬいぐるみを互いに結合した意表図である。
【図２Ａ】本考案の第一ハーネスと第一ぬいぐるみの結合方式を示した意表図であり、面ファスナー粘着法が採用されている。
【図２Ｂ】本考案の第一ハーネスと第一ぬいぐるみの結合方式を示した意表図であり、面ファスナー粘着法が採用されている。
【図３Ａ】本考案の第二ハーネスの意表図である。
【図３Ｂ】本考案の第二ハーネスと第二ぬいぐるみの互いの結合を示した意表図である。
【図３Ｃ】本考案の第二ハーネスと第二ぬいぐるみの結合方式を示した意表図であり、面ファスナー粘着法が採用されている。
【図３Ｄ】本考案の第二ハーネスと第二ぬいぐるみの結合方式を示した意表図であり、面ファスナー粘着法が採用されている。
【図４Ａ】本考案の第一ハーネスと第二ハーネスの結合方式を示し、面ファスナー粘着法が採用されている。
【図４Ｂ】本考案の第一ハーネスと第二ハーネスの結合方式を示し、面ファスナー粘着法が採用されている。
【図５Ａ】本考案の応用図であり、第一ハーネスと第二ハーネスの互いの結合を示す。
【図５Ｂ】本考案の応用図であり、第一ハーネスと第二ハーネスが取り外され、第一ハーネスだけ単独に使用されることを示す。
【図６Ａ】本考案の第一ハーネスと第二ハーネスの結合方式を示し、止めボタン法が採用されている。
【図６Ｂ】本考案の第一ハーネスと第二ハーネスの結合方式を示し、止めボタン法が採用されている。
【図７Ａ】本考案の第一ハーネスと第二ハーネスの結合方式を示し、押しボタン法が採用されている。
【図７Ｂ】本考案の第一ハーネスと第二ハーネスの結合方式を示し、押しボタン法が採用されている。
【図８Ａ】本考案の第一ハーネスと第一ぬいぐるみの結合方式は止めボタン法であることを示す。
【図８Ｂ】本考案の第一ハーネスと第一ぬいぐるみの結合方式は止めボタン法であることを示す。
【図９Ａ】本考案の第二ハーネスと第二ぬいぐるみの結合方式は押しボタン法であることを示す。
【図９Ｂ】本考案の第二ハーネスと第二ぬいぐるみの結合方式は押しボタン法であることを示す。
【図１０Ａ】本考案の各ユニットの結合方式を示す意表図であり、それらは順番に止めボタン法、押しボタン法、面ファスナー粘着法である。
【図１０Ｂ】本考案の各ユニットの結合方式を示す意表図であり、それらは順番に止めボタン法、押しボタン法、面ファスナー粘着法である。
【図１０Ｃ】本考案の各ユニットの結合方式を示す意表図であり、それらは順番に止めボタン法、押しボタン法、面ファスナー粘着法である。
【図１Ａ】
0003146658.tif 000003
【図１Ｂ】
0003146658.tif 000004
【図２Ａ】
0003146658.tif 000005
【図２Ｂ】
0003146658.tif 000006
【図３Ａ】
0003146658.tif 000007
【図３Ｂ】
0003146658.tif 000008
【図３Ｃ】
0003146658.tif 000009
【図３Ｄ】
0003146658.tif 000010
【図４Ａ】
0003146658.tif 000011
【図４Ｂ】
0003146658.tif 000012
【図５Ａ】
0003146658.tif 000013
【図５Ｂ】
0003146658.tif 000014
【図６Ａ】
0003146658.tif 000015
【図６Ｂ】
0003146658.tif 000016
【図７Ａ】
0003146658.tif 000017
【図７Ｂ】
0003146658.tif 000018
【図８Ａ】
0003146658.tif 000019
【図８Ｂ】
0003146658.tif 000020
【図９Ａ】
0003146658.tif 000021
【図９Ｂ】
0003146658.tif 000022
【図１０Ａ】
0003146658.tif 000023
【図１０Ｂ】
0003146658.tif 000024
【図１０Ｃ】
0003146658.tif 000025
【手続補正書】
【提出日】平成20年9月24日(2008.9.24)
【手続補正１】
【補正対象書類名】図面
【補正対象項目名】図１Ｂ
【補正方法】変更
【補正の内容】
【図１Ｂ】
0003146658.tif 000026
【手続補正２】
【補正対象書類名】図面
【補正対象項目名】図２Ｂ
【補正方法】変更
【補正の内容】
【図２Ｂ】
0003146658.tif 000027
【手続補正３】
【補正対象書類名】図面
【補正対象項目名】図３Ｂ
【補正方法】変更
【補正の内容】
【図３Ｂ】
0003146658.tif 000028
【手続補正４】
【補正対象書類名】図面
【補正対象項目名】図３Ｄ
【補正方法】変更
【補正の内容】
【図３Ｄ】
0003146658.tif 000029
【手続補正５】
【補正対象書類名】図面
【補正対象項目名】図５Ａ
【補正方法】変更
【補正の内容】
【図５Ａ】
0003146658.tif 000030
【手続補正６】
【補正対象書類名】図面
【補正対象項目名】図５Ｂ
【補正方法】変更
【補正の内容】
【図５Ｂ】
0003146658.tif 000031
【手続補正７】
【補正対象書類名】図面
【補正対象項目名】図８Ｂ
【補正方法】変更
【補正の内容】
【図８Ｂ】
0003146658.tif 000032
【手続補正８】
【補正対象書類名】図面
【補正対象項目名】図９Ｂ
【補正方法】変更
【補正の内容】
【図９Ｂ】
0003146658.tif 000033